Podtech/llm-jp-corpus-v4-ja_patent huggingface dataset:
【手続補正書】
【提出日】平成27年3月23日(2015.3.23)
【手続補正１】
【補正対象書類名】明細書
【補正対象項目名】発明の名称
【補正方法】変更
【補正の内容】
【発明の名称】リスト端末装置、通信端末装置及びプログラム
【手続補正２】
【補正対象書類名】明細書
【補正対象項目名】０００１
【補正方法】変更
【補正の内容】
【０００１】
本発明は、リスト端末装置、通信端末装置及びプログラムに関する。
【手続補正３】
【補正対象書類名】明細書
【補正対象項目名】０００５
【補正方法】変更
【補正の内容】
【０００５】
本発明の課題は、ユーザーが操作指示することなく、ユーザーの動作状態に応じて適切な表示形態で、受信した情報を表示させることができるリスト端末装置、通信端末装置及びプログラムを提供することである。
【手続補正４】
【補正対象書類名】明細書
【補正対象項目名】０００６
【補正方法】変更
【補正の内容】
【０００６】
以上の課題を解決するため、本発明は、ユーザーの手首に装着されるリスト端末装置であって、
ユーザーの動作状態を検知する動作状態検知手段と、
通信端末装置からメール着信通知とメールとを受信する受信手段と、
前記着信受信手段によりメール着信通知とメールとを受信したときに、前記動作状態検知手段により検知されたユーザーの動作状態に応じた表示形態で、前記受信したメールを前記表示手段に表示する制御を行う動作対応表示制御手段と、
を備えることを特徴とする。
【手続補正５】
【補正対象書類名】特許請求の範囲
【補正対象項目名】全文
【補正方法】変更
【補正の内容】
【特許請求の範囲】
【請求項１】
ユーザーの手首に装着されるリスト端末装置であって、
ユーザーの動作状態を検知する動作状態検知手段と、
通信端末装置からメール着信通知とメールとを受信する受信手段と、
前記着信受信手段によりメール着信通知とメールとを受信したときに、前記動作状態検知手段により検知されたユーザーの動作状態に応じた表示形態で、前記受信したメールを前記表示手段に表示する制御を行う動作対応表示制御手段と、
を備えることを特徴とするリスト端末装置。
【請求項２】
前記動作対応表示制御手段は、
ユーザーによる前記リスト端末装置を見る動作状態を所定時間検知したときに、前記受信したメールの本文を前記表示手段にスクロール表示する制御を行うことを特徴とする請求項１に記載のリスト端末装置。
【請求項３】
前記動作対応表示制御手段は、
ユーザーが移動しつつ、前記リスト端末装置を見る動作状態を検知したときに、前記受信したメールの本文を前記表示手段に拡大表示する制御を行うことを特徴とする請求項１又は２に記載のリスト端末装置。
【請求項４】
ユーザーが移動しつつ、前記リスト端末装置を見る動作状態を検知したときに、前記受信したメールの本文を音声出力する音声出力手段を備えることを特徴とする請求項１〜３のいずれか一項に記載のリスト端末装置。
【請求項５】
前記動作対応表示制御手段は、
前記リスト端末装置を見る動作状態を検知した後で、ユーザーによる腕を下げる動作状態を検知したときに、前記受信したメールの本文の前記表示手段への表示を停止する制御を行うことを特徴とする請求項２〜４のいずれか一項に記載のリスト端末装置。
【請求項６】
前記腕を下げる動作状態を検知した後で、前記表示手段で前回表示したメールの表示済み箇所を、未表示箇所と識別して前記通信端末装置に送信する表示済み箇所送信手段を備えることを特徴とする請求項５に記載のリスト端末装置。
【請求項７】
前記動作対応表示制御手段は、
前記腕を下げる動作状態を検知した後で、ユーザーによる前記リスト端末装置を再び見る動作状態を検知したときに、前記表示手段で前回表示したメールの表示済み箇所以外の未表示箇所を前記表示手段に表示する制御を行うことを特徴とする請求項５又は６に記載のリスト端末装置。
【請求項８】
請求項６に記載のリスト端末装置と通信する通信端末装置において、
前記リスト端末装置の前記表示済み箇所送信手段により送信されたメールを、前記リスト端末装置でのメールの未表示箇所を表示済み箇所と識別して表示する制御を行う未表示箇所識別表示制御手段を備えることを特徴とする通信端末装置。
【請求項９】
ユーザーの手首に装着されるリスト端末装置のコンピュータに、
ユーザーの動作状態を検知する動作状態検知機能と、
通信端末装置からメール着信通知とメールとを受信する受信機能と、
前記着信受信機能によりメール着信通知とメールとを受信したときに、前記動作状態検知機能により検知されたユーザーの動作状態に応じた表示形態で、前記受信したメールを前記表示手段に表示する制御を行う動作対応表示制御機能と、
を実現させることを特徴とするプログラム。
【手続補正書】
【提出日】平成26年6月27日(2014.6.27)
【手続補正１】
【補正対象書類名】特許請求の範囲
【補正対象項目名】全文
【補正方法】変更
【補正の内容】
【特許請求の範囲】
【請求項１】
比較的非弾性のシース本体であって、シース遠位端とは長軸方向に分離されるシース近位端を有し、且つ、シース腔を定める、比較的非弾性のシース本体、
該シース腔と液的連通状態において該シース近位端に配置され、該シース腔内への長尺内視鏡本体の進入を許容するように構成される、スコープ口、
該シース遠位端に配置されるシース先端部であって、その少なくとも一部は、それを介するエネルギーの伝搬を許容するように構成され、該長尺内視鏡本体が該シース腔内に配置される際には長軸方向に内視鏡レンズに隣接するように配置され、シース本体と同軸的に延び、シース腔を操作可能なように閉鎖する、シース先端部、及び、
該シース腔と液的に連通し、該シース腔から流体を選択的に排除することによって該シース本体が縮小して該内視鏡本体の外側に事実上接触するように構成されており、該シース腔と液的連通状態にあってパイロットバルーンと結合したバルブを含む、排出接合部であって、ここに、該パイロットバルーンは該シース腔中の圧を表示するよう構成される、排出接合部
を含む、内視鏡シース。
【請求項２】
長尺の二次チューブであって、遠位端と、該遠位端とは長軸方向に分離される近位端とを有し、且つ、二次腔を定め、ここに、該二次腔の少なくとも一部は該シース腔と事実上平行に延びる、二次チューブ
をさらに含む、請求項１に記載の内視鏡シース。
【請求項３】
前記二次チューブ遠位端が前記シース遠位端に隣接して配され、且つ、前記二次腔と液的に連通する開口を有することを特徴とする、請求項２に記載の内視鏡シース。
【請求項４】
前記二次チューブが、第2医用器具を受容する大きさ、またはシース遠位端の外側の区域からの吸引流体を受容する大きさを有することを特徴とする、請求項１に記載の内視鏡シース。
【請求項５】
前記シース近位端にハンドル接合部が配され、該ハンドル接合部が、長尺内視鏡本体と前記内視鏡シースの間に液密シールを創出するように構成されることを特徴とする、請求項１に記載の内視鏡シース。
【請求項６】
前記二次チューブの二次腔が側方圧を受けた場合に該二次腔の開放状態を維持するための、少なくとも一つの二次支持部材が該二次腔の内部に配されることを特徴とする、請求項２に記載の内視鏡シース。
【請求項７】
前記少なくとも一つの二次支持部材が、少なくとも半剛性である材料から製造され、長軸方向に延びる貫通孔を含むことを特徴とする、請求項６に記載の内視鏡シース。
【請求項８】
前記シース本体が前記内視鏡本体の外側に接触するまで縮小することは、前記内視鏡の屈曲領域における前記内視鏡シースの固着を回避することを特徴とする、請求項１に記載の内視鏡シース。
【手続補正書】
【提出日】平成27年7月15日(2015.7.15)
【手続補正１】
【補正対象書類名】特許請求の範囲
【補正対象項目名】全文
【補正方法】変更
【補正の内容】
【特許請求の範囲】
【請求項１】
モータを可変速制御するモータ駆動回路における過電流保護装置であって、
前記モータ駆動回路に流れる電流を検出する電流検出手段と、
前記電流検出手段で検出された電流に基づいて発生する検出電圧をフィルタリングするフィルタ回路と、
前記フィルタ回路のフィルタ定数を切替えるフィルタ定数切替え手段と、
過電流状態かどうかを判定する基準電圧を設定する過電流遮断レベル設定回路と、
前記過電流遮断レベル設定回路の過電流遮断レベルを切替える過電流遮断レベル定数切替え手段と、
前記フィルタ回路でフィルタリング後の検出電圧と前記過電流遮断レベル設定回路で設定された基準電圧との比較結果に基づいて前記モータ駆動回路のインバータの駆動および停止を制御し、また、前記インバータの駆動状態に基づいて、前記フィルタ定数切替え手段および前記過電流遮断レベル定数切替え手段の切替えを制御するインバータ制御手段と、
を備えることを特徴とする過電流保護装置。
【請求項２】
前記インバータ制御手段は、設定したキャリア周波数とキャリア周波数閾値との比較結果に基づいて前記フィルタ定数切替え手段を制御して前記フィルタ定数を切替える、
ことを特徴とする請求項１に記載の過電流保護装置。
【請求項３】
前記インバータ制御手段は、設定したインバータ出力電圧とインバータ電圧閾値との比較結果および検出した直流母線電圧と直流母線電圧閾値との比較結果に基づいて前記過電流遮断レベル定数切替え手段を制御して前記過電流遮断レベルを切替える、
ことを特徴とする請求項１または２に記載の過電流保護装置。
【請求項４】
前記フィルタ回路でフィルタリング後の検出電圧と前記過電流遮断レベル設定回路で設定された基準電圧とを比較する比較器、
を備え、
前記インバータ制御手段は、前記比較器の出力結果に基づいて前記インバータの駆動および停止を制御する、
ことを特徴とする請求項１，２または３に記載の過電流保護装置。
【請求項５】
モータを可変速制御するモータ駆動回路における過電流保護装置であって、
前記モータ駆動回路に流れる電流を検出する電流検出手段と、
前記電流検出手段で検出された電流に基づいて発生する検出電圧をフィルタリングするフィルタ回路と、
前記フィルタ回路のフィルタ定数を切替えるフィルタ定数切替え手段と、
過電流状態かどうかを判定する基準電圧を設定する過電流遮断レベル設定回路と、
前記過電流遮断レベル設定回路の過電流遮断レベルを切替える過電流遮断レベル定数切替え手段と、
前記フィルタ回路でフィルタリング後の検出電圧と前記過電流遮断レベル設定回路で設定された基準電圧との比較結果に基づいて前記モータ駆動回路のコンバータの駆動および停止を制御し、また、前記コンバータの駆動状態に基づいて、前記フィルタ定数切替え手段および前記過電流遮断レベル定数切替え手段の切替えを制御するコンバータ制御手段と、
を備えることを特徴とする過電流保護装置。
【請求項６】
前記コンバータ制御手段は、設定したキャリア周波数とキャリア周波数閾値との比較結果に基づいて前記フィルタ定数切替え手段を制御して前記フィルタ定数を切替える、
ことを特徴とする請求項５に記載の過電流保護装置。
【請求項７】
前記コンバータ制御手段は、設定したコンバータ出力電圧とコンバータ電圧閾値との比較結果および検出した入力交流電圧と入力交流電圧閾値との比較結果に基づいて前記過電流遮断レベル定数切替え手段を制御して前記過電流遮断レベルを切替える、
ことを特徴とする請求項５または６に記載の過電流保護装置。
【請求項８】
前記フィルタ回路でフィルタリング後の検出電圧と前記過電流遮断レベル設定回路で設定された基準電圧とを比較する比較器、
を備え、
前記コンバータ制御手段は、前記比較器の出力結果に基づいて前記コンバータの駆動および停止を制御する、
ことを特徴とする請求項５，６または７に記載の過電流保護装置。
【請求項９】
前記フィルタ回路が、フィルタ定数の異なるフィルタ手段を複数備える場合に、
前記フィルタ定数切替え手段を、前記フィルタ回路内にある複数のフィルタ手段を切替える切替えスイッチとする、
ことを特徴とする請求項１から８のいずれか１つに記載の過電流保護装置。
【請求項１０】
前記過電流遮断レベル設定回路が、過電流遮断レベルの異なる複数の過電流遮断レベル設定手段を備える場合に、
前記過電流遮断レベル定数切替え手段を、前記過電流遮断レベル設定回路内にある複数の過電流遮断レベル設定手段を切替える切替えスイッチとする、
ことを特徴とする請求項１から９のいずれか１つに記載の過電流保護装置。
【請求項１１】
前記モータ駆動回路において、スイッチングを行う半導体素子をワイドバンドギャップ素子とする、
ことを特徴とする請求項１から１０のいずれか１つに記載の過電流保護装置。
【手続補正書】
【提出日】平成27年3月30日(2015.3.30)
【手続補正１】
【補正対象書類名】特許請求の範囲
【補正対象項目名】全文
【補正方法】変更
【補正の内容】
【特許請求の範囲】
【請求項１】
平坦な底面と少なくとも前記底面の前方部分に湾曲面を備える底部と、略半球形状の上カバー部と、による本体部を有し、
前記本体部の内部に振動機構を備え、前記振動機構は、モータと偏心重錘とにより構成され、モータにより偏心重錘を回転駆動し、前記偏心重錘は、本体部の左右方向を回転軸の軸方向とし、本体部の前後方向中心線上における前記本体部の前方部分に配置され、
前記底面の中央よりも後方に前記底面から下方に突出する突出部材を有し、前記突出部材の先端に軟質弾性部材を備え、前記軟質弾性部材は、球面状湾曲面を有して前記突出部材の下面中央位置を下方に突出させていることを特徴とする走行玩具。
【請求項２】
前記突出部材は、円柱形状又は円筒形状とされた樹脂製であることを特徴とする請求項１に記載した走行玩具。
【請求項３】
前記本体部は、前記突出部材を除いて全体が布帛で覆われていることを特徴とする請求項１又は請求項２に記載した走行玩具。
【手続補正書】
【提出日】平成27年3月23日(2015.3.23)
【手続補正１】
【補正対象書類名】特許請求の範囲
【補正対象項目名】全文
【補正方法】変更
【補正の内容】
【特許請求の範囲】
【請求項１】
遊技の進行に応じて所定の演出表示を行う表示手段と、前記表示手段における演出表示の進行に関連して作動する演出用可動体と、が所定位置に設けられた遊技機であって、
前記演出用可動体は、
前記表示手段の前側に設けられており、少なくとも一部に所定の絵柄が形成された第１絵柄、及び前記第１絵柄を覆う閉じ位置と前記第１絵柄を視認可能な開き位置との間で移動可能な第１可動部を有する第１装飾体を備え、前記表示手段が視認可能な退避位置と、前記表示手段を覆う進出位置との間で前記第１装飾体を進退可能に構成されている第１可動体と、
前記表示手段の前側に設けられており、少なくとも一部に所定の絵柄が形成された第２絵柄、及び前記第２絵柄を覆う閉じ位置と前記第２絵柄を視認可能な開き位置との間で移動可能な第２可動部を有する第２装飾体を備え、前記表示手段が視認可能な退避位置と、前記表示手段を覆う進出位置との間で前記第２装飾体を進退可能に構成されている第２可動体と、
前記第２可動部を前記閉じ位置と前記開き位置との間で移動させるための駆動力を付与する駆動手段と、
前記第１可動体及び前記第２可動体が前記進出位置に位置する時に、これら前記第１可動体及び前記第２可動体を係合させ、前記第１可動体及び前記第２可動体を合体させる係合手段と、を備え、
前記第１可動部は、前記第１可動体及び前記第２可動体が前記係合手段により合体している時に前記駆動手段が前記第２可動部に前記駆動力を付与すると、前記第２可動部と一体的に移動するように構成されている、ことを特徴とする遊技機。
【請求項２】
第１可動体は遊技盤の上部に設けられ、第２可動体は前記遊技盤の下部に設けられている、請求項１記載の遊技機。
【請求項３】
係合手段は、係合突部と、前記係合突部と係合される係合受け部とからなり、
前記係合突部は、第１可動部又は前記第２可動部のいずれか一方に形成され、
前記係合受け部は、前記第１可動部又は前記第２可動部のいずれか他方に形成されている、請求項１又は２記載の遊技機。
【手続補正２】
【補正対象書類名】明細書
【補正対象項目名】０００６
【補正方法】変更
【補正の内容】
【０００６】
本発明は、
（１）遊技の進行に応じて所定の演出表示を行う表示手段と、前記表示手段における演出表示の進行に関連して作動する演出用可動体と、が所定位置に設けられた遊技機であって、前記演出用可動体は、前記表示手段の前側に設けられており、少なくとも一部に所定の絵柄が形成された第１絵柄、及び前記第１絵柄を覆う閉じ位置と前記第１絵柄を視認可能な開き位置との間で移動可能な第１可動部を有する第１装飾体を備え、前記表示手段が視認可能な退避位置と、前記表示手段を覆う進出位置との間で前記第１装飾体を進退可能に構成されている第１可動体と、前記表示手段の前側に設けられており、少なくとも一部に所定の絵柄が形成された第２絵柄、及び前記第２絵柄を覆う閉じ位置と前記第２絵柄を視認可能な開き位置との間で移動可能な第２可動部を有する第２装飾体を備え、前記表示手段が視認可能な退避位置と、前記表示手段を覆う進出位置との間で前記第２装飾体を進退可能に構成されている第２可動体と、前記第２可動部を前記閉じ位置と前記開き位置との間で移動させるための駆動力を付与する駆動手段と、前記第１可動体及び前記第２可動体が前記進出位置に位置する時に、これら前記第１可動体及び前記第２可動体を係合させ、前記第１可動体及び前記第２可動体を合体させる係合手段と、を備え、前記第１可動部は、前記第１可動体及び前記第２可動体が前記係合手段により合体している時に前記駆動手段が前記第２可動部に前記駆動力を付与すると、前記第２可動部と一体的に移動するように構成されている、ことを特徴とする遊技機、
（２）第１可動体は遊技盤の上部に設けられ、第２可動体は前記遊技盤の下部に設けられている、上記（１）記載の遊技機、
（３）係合手段は、係合突部と、前記係合突部と係合される係合受け部とからなり、前記係合突部は、第１可動部又は前記第２可動部のいずれか一方に形成され、前記係合受け部は、前記第１可動部又は前記第２可動部のいずれか他方に形成されている、上記（１）又は（２）記載の遊技機、
を要旨とする。
【手続補正書】
【提出日】平成27年3月23日(2015.3.23)
【手続補正１】
【補正対象書類名】特許請求の範囲
【補正対象項目名】全文
【補正方法】変更
【補正の内容】
【特許請求の範囲】
【請求項１】
所定の契機が成立した時に、遊技者に不利な通常遊技状態から遊技者に有利な大当り遊技状態へ移行するか否かを抽選する大当り抽選を行い、前記大当り抽選の抽選結果に応じて所定の演出表示を行う表示手段と、前記演出表示の進行に関連して演出用可動体を作動させる遊技機であって、
前記大当り遊技状態は、第１の大当り遊技状態と、前記第１の大当り遊技状態よりも有利な第２大当り遊技状態とを有しており、
前記演出用可動体は、
前記表示手段の前側に設けられており、少なくとも一部に所定の絵柄が形成された第１絵柄、及び前記第１絵柄を覆う閉じ位置と前記第１絵柄を視認可能な開き位置との間で移動可能な第１可動部を有する第１装飾体と、前記表示手段が視認可能な退避位置と、前記表示手段を覆う進出位置との間を進退するための駆動力を付与する第１駆動モータと、を備えた第１可動体と、
前記表示手段の前側に設けられており、少なくとも一部に所定の絵柄が形成された第２絵柄、及び前記第２絵柄を覆う閉じ位置と前記第２絵柄を視認可能な開き位置との間で移動可能な第２可動部を有する第２装飾体と、前記表示手段が視認可能な退避位置と、前記表示手段を覆う進出位置との間を進退するための駆動力を付与する第２駆動モータと、を備えた第２可動体と、
前記第２可動部を前記閉じ位置と前記開き位置との間で移動させるための駆動力を付与する駆動手段と、
前記第１可動体及び前記第２可動体が前記進出位置に位置する時に、これら前記第１可動体及び前記第２可動体を係合させ、前記第１可動体及び前記第２可動体を合体させる係合手段と、
前記第１可動体及び前記第２可動体が前記進出位置に位置する時に、これら前記第１可動体及び前記第２可動体が合体しているか否かを検知する検知手段と、
前記大当り抽選において前記第１の大当り遊技状態に当選した場合には、前記第１可動体及び前記第２可動体を合体させる第１演出を行わせ、前記大当り抽選において前記第２の大当り遊技状態に当選し、前記検知手段から前記第１可動体及び前記第２可動体が合体した旨の検知信号が入力された場合には、前記第１可動体及び前記第２可動体を合体させた後に前記駆動手段を駆動させて前記第１可動部及び前記第２可動部を一体的に閉じ位置から開き位置へ移動させ、前記第１絵柄及び前記第２絵柄を視認可能にする第２演出を行わせ、前記大当り抽選において前記第２の大当り遊技状態に当選し、前記検知手段から前記第１可動体及び前記第２可動体が合体した旨の検知信号が入力しなかった場合には、前記第１演出を行わせるように制御する演出制御手段と、を備えたことを特徴とする遊技機。
【請求項２】
係合手段は、係合部と、前記係合部と係合される係合受け部とからなり、
前記係合部は、第１可動部又は第２可動部のいずれか一方に形成されており、
前記係合受け部は、前記第１可動部又は前記第２可動部のいずれか他方に形成されている、請求項１記載の遊技機。
【請求項３】
検知手段が係合手段に設けられている、請求項１又は２記載の遊技機。
【手続補正２】
【補正対象書類名】明細書
【補正対象項目名】０００７
【補正方法】変更
【補正の内容】
【０００７】
本発明は、
（１）所定の契機が成立した時に、遊技者に不利な通常遊技状態から遊技者に有利な大当り遊技状態へ移行するか否かを抽選する大当り抽選を行い、前記大当り抽選の抽選結果に応じて所定の演出表示を行う表示手段と、前記演出表示の進行に関連して演出用可動体を作動させる遊技機であって、前記大当り遊技状態は、第１の大当り遊技状態と、前記第１の大当り遊技状態よりも有利な第２大当り遊技状態とを有しており、前記演出用可動体は、前記表示手段の前側に設けられており、少なくとも一部に所定の絵柄が形成された第１絵柄、及び前記第１絵柄を覆う閉じ位置と前記第１絵柄を視認可能な開き位置との間で移動可能な第１可動部を有する第１装飾体と、前記表示手段が視認可能な退避位置と、前記表示手段を覆う進出位置との間を進退するための駆動力を付与する第１駆動モータと、を備えた第１可動体と、前記表示手段の前側に設けられており、少なくとも一部に所定の絵柄が形成された第２絵柄、及び前記第２絵柄を覆う閉じ位置と前記第２絵柄を視認可能な開き位置との間で移動可能な第２可動部を有する第２装飾体と、前記表示手段が視認可能な退避位置と、前記表示手段を覆う進出位置との間を進退するための駆動力を付与する第２駆動モータと、を備えた第２可動体と、前記第２可動部を前記閉じ位置と前記開き位置との間で移動させるための駆動力を付与する駆動手段と、前記第１可動体及び前記第２可動体が前記進出位置に位置する時に、これら前記第１可動体及び前記第２可動体を係合させ、前記第１可動体及び前記第２可動体を合体させる係合手段と、前記第１可動体及び前記第２可動体が前記進出位置に位置する時に、これら前記第１可動体及び前記第２可動体が合体しているか否かを検知する検知手段と、前記大当り抽選において前記第１の大当り遊技状態に当選した場合には、前記第１可動体及び前記第２可動体を合体させる第１演出を行わせ、前記大当り抽選において前記第２の大当り遊技状態に当選し、前記検知手段から前記第１可動体及び前記第２可動体が合体した旨の検知信号が入力された場合には、前記第１可動体及び前記第２可動体を合体させた後に前記駆動手段を駆動させて前記第１可動部及び前記第２可動部を一体的に閉じ位置から開き位置へ移動させ、前記第１絵柄及び前記第２絵柄を視認可能にする第２演出を行わせ、前記大当り抽選において前記第２の大当り遊技状態に当選し、前記検知手段から前記第１可動体及び前記第２可動体が合体した旨の検知信号が入力しなかった場合には、前記第１演出を行わせるように制御する演出制御手段と、を備えたことを特徴とする遊技機、
（２）係合手段は、係合部と、前記係合部と係合される係合受け部とからなり、前記係合部は、第１可動部又は第２可動部のいずれか一方に形成されており、前記係合受け部は、前記第１可動部又は前記第２可動部のいずれか他方に形成されている、上記（１）記載の遊技機、
（３）検知手段が係合手段に設けられている、上記（１）又は（２）記載の遊技機、
を要旨とする。
【手続補正書】
【提出日】平成27年1月9日(2015.1.9)
【手続補正１】
【補正対象書類名】特許請求の範囲
【補正対象項目名】全文
【補正方法】変更
【補正の内容】
【特許請求の範囲】
【請求項１】
下記式の化合物：
【化１】
2014176384.tif 000001
（式中、
R1は、H又はCH3であり；
R2は、H、OH又はOCH3であり；かつ
R3は、OH又はOCH3である。）。
【請求項２】
下記式を有する、請求項３記載の化合物：
【化２】
2014176384.tif 000002
。
【請求項３】
下記式を有する、請求項２記載の化合物：
【化３】
2014176384.tif 000003
。
【請求項４】
下記式を有する、請求項２記載の化合物：
【化４】
2014176384.tif 000004
。
【請求項５】
R1が、Hであり；
R2が、Hであり；かつ
R3が、OHである、請求項２記載の化合物。
【請求項６】
R1が、Hであり；
R2が、OHであり；かつ
R3が、OHである、請求項２記載の化合物。
【請求項７】
R1が、Hであり；
R2が、OCH3であり；かつ
R3が、OHである、請求項２記載の化合物。
【請求項８】
R1が、Hであり；
R2が、Hであり；かつ
R3が、OCH3である、請求項２記載の化合物。
【請求項９】
R1が、CH3であり；
R2が、OHであり；かつ
R3が、OHである、請求項２記載の化合物。
【請求項１０】
R1が、Hであり；
R2が、OCH3であり；かつ
R3が、OCH3である、請求項２記載の化合物。
【請求項１１】
R1が、CH3であり；
R2が、Hであり；かつ
R3が、OCH3である、請求項２記載の化合物。
【請求項１２】
R1が、CH3であり；
R2が、OHであり；かつ
R3が、OCH3である、請求項２記載の化合物。
【請求項１３】
R1が、CH3であり；
R2が、OCH3であり；かつ
R3が、OHである、請求項２記載の化合物。
【請求項１４】
R1が、CH3であり；
R2が、OCH3であり；かつ
R3が、OCH3である、請求項２記載の化合物。
【請求項１５】
下記式を有する、請求項１記載の化合物：
【化５】
2014176384.tif 000005
。
【請求項１６】
下記式を有する、請求項１５記載の化合物：
【化６】
2014176384.tif 000006
。
【請求項１７】
R1が、Hであり；
R2が、Hであり；かつ
R3が、OHである、請求項１５記載の化合物。
【請求項１８】
R1が、Hであり；
R2が、OHであり；かつ
R3が、OHである、請求項１５記載の化合物。
【請求項１９】
R1が、Hであり；
R2が、OCH3であり；かつ
R3が、OHである、請求項１５記載の化合物。
【請求項２０】
R1が、Hであり；
R2が、OHであり；かつ
R3が、OCH3である、請求項１５記載の化合物。
【請求項２１】
R1が、CH3であり；
R2が、Hであり；かつ
R3が、OHである、請求項１５記載の化合物。
【請求項２２】
R1が、CH3であり；
R2が、OHであり；かつ
R3が、OHである、請求項１５記載の化合物。
【請求項２３】
R1が、Hであり；
R2が、OCH3であり；かつ
R3が、OCH3である、請求項１５記載の化合物。
【請求項２４】
R1が、CH3であり；
R2が、OHであり；かつ
R3が、OCH3である、請求項１５記載の化合物。
【請求項２５】
R1が、CH3であり；
R2が、Hであり；かつ
R3が、OCH3である、請求項１５記載の化合物。
【請求項２６】
R1が、CH3であり；
R2が、OCH3であり；かつ
R3が、OHである、請求項１５記載の化合物。
【請求項２７】
癌の治療；真菌感染症の治療；自己免疫性、炎症性、増殖性、及び/又は過剰増殖性疾患の治療；免疫抑制の維持；糖尿病、器官若しくは組織移植の急性若しくは慢性の拒絶反応、喘息、腫瘍、乾癬、湿疹、関節リウマチ、線維症、アレルギーの治療に使用するための；又は抗線維性、神経再生、及び/又は抗血管形成の機序に関して使用するための、請求項１〜２６のいずれか一項記載の化合物を含む、医薬組成物。
【手続補正書】
【提出日】平成27年5月7日(2015.5.7)
【手続補正１】
【補正対象書類名】明細書
【補正対象項目名】０１２６
【補正方法】変更
【補正の内容】
【０１２６】
前述の多官能性エポキシ化合物としては、例えば、ビスフェノールＡのジグリシジルエーテルおよびそのオリゴマー、水素化ビスフェノールＡのジグリシジルエーテルおよびそのオリゴマー、オルソフタル酸ジグリシジルエステル、イソフタル酸ジグリシジルエステル、テレフタル酸ジグリシジルエステル、ｐ−オキシ安息香酸ジグリシジルエステル、テトラハイドロフタル酸ジグリシジルエステル、ヘキサハイドロフタル酸ジグリシジルエステル、コハク酸ジグリシジルエステル、アジピン酸ジグリシジルエステル、セバシン酸ジグリシジルエステル、エチレングリコールジグリシジルエーテル、プロピレングリコールジグリシジルエーテル、１，４−ブタンジオールジグリシジルエーテル、１，６−ヘキサンジオールジグリシジルエーテルおよびポリアルキレングリコールジグリシジルエーテル類、トリメリット酸トリグリシジルエステル、トリグリシジルイソシアヌレート、１，４−ジグリシジルオキシベンゼン、ジグリシジルプロピレン尿素、グリセロールトリグリシジルエーテル、トリメチロールプロパントリグリシジルエーテル、ペンタエリスリトールトリグリシジルエーテル、グリセロールアルキレンオキサイド付加物のトリグリシジルエーテルなどが挙げられる。
【手続補正２】
【補正対象書類名】明細書
【補正対象項目名】０１２７
【補正方法】変更
【補正の内容】
【０１２７】
多官能エポキシ化合物の触媒として、トリエチルベンジルアンモニウムクロライド、テトラメチルアンモニウムクロライド等の４級アンモニウム塩、ベンジルジメチルアミン、トリブチルアミン、トリス（ジメチルアミノ）メチルフェノール等の３級アミン、２−メチル−４−エチルイミダゾール、２−メチルイミダゾール等のイミダゾール化合物、ピリジン、メチルピリジン等の含窒素複素環化合物、また、アミン等を含まない触媒としては、水酸化ナトリウム、水酸化カリウム等の強塩基、ホウフッ化亜鉛、四塩化スズ等の金属化合物などが挙げられる。
【手続補正３】
【補正対象書類名】明細書
【補正対象項目名】０１７０
【補正方法】変更
【補正の内容】
【０１７０】
［表示装置の作製と評価、積層フィルムの評価］
（密着性）
各実施例および比較例の積層フィルムを６５℃、相対湿度９５％の条件で５００時間経時させた後に、ハードコート面の表面に片刃のカミソリを用いて縦、横にそれぞれ１ｍｍ毎に１１本のキズを付けた上にセロハンテープ（３Ｍ社製４００番２４ｍｍ幅）を貼り付け、消しゴムでこすって完全に密着させた後、９０度方向に２回剥離し、剥離した升目の数を数えて下記ランク付けを行なった。
Ａ：はがれなし
Ｂ：１マス以上、５マス未満のはがれ
Ｃ：５マス以上のはがれが生じ、実用上不十分。
結果を下記表１に示した。
【手続補正４】
【補正対象書類名】明細書
【補正対象項目名】０１７１
【補正方法】変更
【補正の内容】
【０１７１】
（鉛筆硬度）
各実施例および比較例の積層フィルムを、２５℃、相対湿度６０％の条件で２時間調湿した後、ＪＩＳ−Ｓ６００６が規定する試験用鉛筆を用いて、ＪＩＳ−Ｋ５４００が規定する鉛筆硬度評価法に従い、各積層フィルムが有するハードコート層の鉛筆硬度を、評価した。具体的には、５００ｇのおもりを用いて各硬度の鉛筆でハードコート層表面を５回繰り返し引っ掻き、傷が１本までの硬度を測定した。
鉛筆硬度はＨＢ以上であることが実用上求められており、Ｆ以上であることが好ましく、Ｈ以上であることがより好ましく、２Ｈ以上であることが特に好ましい。
結果を下記表１に示した。
【手続補正５】
【補正対象書類名】明細書
【補正対象項目名】０１７２
【補正方法】変更
【補正の内容】
【０１７２】
［耐傷性試験］
各実施例および比較例の積層フィルムを３０ｃｍ×３７ｃｍに切った。１枚は３７ｃｍの辺に平行にプリズムの頂辺が平行になるように、もう１枚は３０ｃｍの辺に頂辺が平行になるようにカットし、３０．５ｍｍ×３７．５ｍｍの箱に交互１０枚に並べ東京から福岡までトラックにて陸送し、上下２枚を除いた８枚の裏面ハードコート層の傷の程度を確認した。
Ａ：傷が全く見られない
Ｂ：傷が１本以上、３本未満見られる
Ｃ：傷が３本以上、７本未満見られる
Ｄ：傷が７本以上見られる
耐傷性はＣ以上であることが好ましく、Ｂ以上であることがより好ましい。
結果を下記表１に示した。
【手続補正書】
【提出日】平成27年2月12日(2015.2.12)
【手続補正１】
【補正対象書類名】特許請求の範囲
【補正対象項目名】全文
【補正方法】変更
【補正の内容】
【特許請求の範囲】
【請求項１】
ロール紙を収容する本体部と、
前記本体部に対して開閉可能に設けられる可動部と、
前記本体部に設けられ、前記本体部と前記可動部とにより形成される排出口から排出される前記ロール紙を切断する第１切断部と、
前記可動部に設けられ、前記排出口から排出される前記ロール紙を切断する第２切断部と、
を備え、
前記第２切断部は、前記排出口の幅方向の２つの端部のうち少なくともいずれか一方にカッター刃を備える、医療用プリンタ。
【請求項２】
前記第２切断部は、先端が前記カッター刃の刃先と略同一高さにあり前記排出口の幅方向に延設されるリブをさらに備える、請求項１に記載の医療用プリンタ。
【請求項３】
前記リブは、前記可動部の垂直面に対して前記ロール紙の搬送方向に沿って傾斜して設けられる、請求項２に記載の医療用プリンタ。
【請求項４】
前記カッター刃は、前記可動部の垂直面に対して前記ロール紙の搬送方向に沿って傾斜して設けられる、請求項１〜３のいずれか１項に記載の医療用プリンタ。
【請求項５】
前記第２切断部は、前記可動部の前記ロール紙が排出される側の面より内側に設けられる、請求項１〜４のいずれか１項に記載の医療用プリンタ。
【請求項６】
前記第１切断部は、前記排出口の幅方向に延びるカッター刃からなる、請求項１〜５のいずれか１項に記載の医療用プリンタ。
【手続補正２】
【補正対象書類名】明細書
【補正対象項目名】００２０
【補正方法】変更
【補正の内容】
【００２０】
可動部１０４は、本体部１０２のロール紙Ｐの収容部１５０を覆うように、本体部１０２に対して開閉可能に本体部前面１０２ａに設けられるカバー部材である。可動部１０４は、例えばプリンタ１００の底面側に設けられた幅方向（ｙ方向）に延びる軸部（図示せず。）を回動可能に支持する軸受部（図示せず。）を備える。可動部１０４の軸受部で本体部１０２の軸部を回動可能に支持することでヒンジが形成され、図２に示すように、可動部１０４の本体部前面１０２ａ上部側が本体部１０２に対して動くように構成することができる。
【手続補正３】
【補正対象書類名】明細書
【補正対象項目名】００２７
【補正方法】変更
【補正の内容】
【００２７】
（２−２−１．カッター刃）
第２切断部１３０のカッター刃１３２ａ、１３２ｂは、ロール紙Ｐの切断位置に亀裂を生じさせる部材である。カッター刃１３２ａ、１３２ｂは、図４に示すようにカッター刃１３２ａ、１３２ｂの刃先と反対側の端部が連結部１３２とそれぞれ連結されて一体の部材として形成されている。連結部１３２は、可動部１０４の背面１０４ｃに固定されている。なお、本実施形態に係るカッター刃１３２ａ、１３２ｂは、連結部１３２によって一体に形成されているが、本技術はかかる例に限定されず、各カッター刃１３２ａ、１３２ｂをそれぞれ可動部１０４の背面１０４ｃに固定してもよい。
【手続補正４】
【補正対象書類名】明細書
【補正対象項目名】００３０
【補正方法】変更
【補正の内容】
【００３０】
また、カッター刃１３２ａは、図６に示すように屈曲されて、刃先のある刃先部分１３２ａ１がロール紙Ｐの搬送方向（ｘ方向）に沿って傾斜して配置されてもよい。刃先部分１３２ａ１がロール紙Ｐの搬送方向に対して略垂直に設けられていると、ロール紙Ｐがプリンタ１００の内部に引き込まれた際に本体１０２の内部でカッター刃１３２ａに当接してしまい、ロール紙Ｐが排出口１１０から排出されないことがある。そこで、カッター刃１３２ａの刃先部分１３２ａ１を可動部１０４の垂直面（すなわち、ｚ方向に広がる面）に対してロール紙Ｐの搬送方向に沿って傾斜させることで、ロール紙Ｐをスムーズに排出できる。
【手続補正５】
【補正対象書類名】明細書
【補正対象項目名】００３５
【補正方法】変更
【補正の内容】
【００３５】
リブ１３４は、図３に示すようにカッター刃１３２ａ、１３２ｂの刃先と段差のない、略同一高さとすることで、カッター刃１３２ａあるいは１３２ｂによってロール紙Ｐに発生した亀裂に沿って、下方に引かれるロール紙Ｐをリブ１３４に当接させることができる。また、リブ１３４と各カッター刃１３２ａ、１３２ｂとの間はなるべく隙間を設けず、カッター刃１３２ａ、１３２ｂの刃先とリブ１３４の先端とが連続するようにすることで、ロール紙Ｐの切断面をよりきれいにできる。
【手続補正６】
【補正対象書類名】明細書
【補正対象項目名】００３８
【補正方法】変更
【補正の内容】
【００３８】
第２切断部１３０を構成するカッター刃１３２ａ、１３２ｂおよびリブ１３４は、可動部１０４を閉じて図１の状態としたときに、可動部１０４のロール紙Ｐが排出される側の面である前面１０４ａより内側となるように設けられる。第２切断部１３０をプリンタ１００の内部側に奥まらせることで刃先が露出しなくなり、安全性が高まる。また、上述のように、可動部１０４の前面１０４ａに、リブ１３４の下側を削って傾斜を設けることができるので、第２切断部１３０によってロール紙Ｐを切断する際にロール紙Ｐをより下方に引くことができるようになる。
【手続補正書】
【提出日】平成26年11月17日(2014.11.17)
【手続補正１】
【補正対象書類名】特許請求の範囲
【補正対象項目名】全文
【補正方法】変更
【補正の内容】
【特許請求の範囲】
【請求項１】
座面を有する椅子部と、
前記椅子部を支持するとともに走行用の車輪が取り付けられるフレーム部と、
を備える車椅子であって、
前記フレーム部には、前記車輪が取り付けられる下フレームと、前記下フレームの上に配置されて前記椅子部を分離可能に支える上フレームと、が含まれ、
前記下フレームには、前後の車輪を連結する左右の連結バーと、前記左右の連結バーをつなぐ橋渡しバーと、が含まれ、
前記左右の連結バーのうちの少なくとも一方は、内側に向けて曲げられている
ことを特徴とする車椅子。
【請求項２】
前記橋渡しバーは、前記下フレームに前記車輪が取り付けられる位置よりも前後方向の内側に配置されていることを特徴とする請求項１に記載の車椅子。
【請求項３】
フットレスト部を更に備え、
前記フットレスト部が、前記椅子部の下に収容可能であることを特徴とする請求項２に記載の車椅子。
【手続補正書】
【提出日】平成27年3月5日(2015.3.5)
【手続補正１】
【補正対象書類名】特許請求の範囲
【補正対象項目名】請求項７
【補正方法】変更
【補正の内容】
【請求項７】
さらに、以下の構成をも備えていることを特徴とする請求項１〜６のいずれかに記載の遊技機。
（７）前記ハーネスダクト内に収納される配線の端部に取り付けられるコネクタは、主制御基板側のソケットとの接続部位をカバー体で覆われると共に、当該カバー体は、下カバーと上カバーとから構成され、前記下カバーと前記上カバーは、嵌め殺し状態に嵌合する嵌め殺し構造とされると共に、前記カバー体の上面と先端面との間にラビリンス構造を形成する様に、前記カバー体の先端部には外向きの突片が備えられていること。
【手続補正２】
【補正対象書類名】明細書
【補正対象項目名】００２０
【補正方法】変更
【補正の内容】
【００２０】
また、これら本発明の遊技機は、さらに、以下の構成をも備えるものとするとよい。
（７）前記ハーネスダクト内に収納される配線の端部に取り付けられるコネクタは、主制御基板側のソケットとの接続部位をカバー体で覆われると共に、当該カバー体は、下カバーと上カバーとから構成され、前記下カバーと前記上カバーは、嵌め殺し状態に嵌合する嵌め殺し構造とされると共に、前記カバー体の上面と先端面との間にラビリンス構造を形成する様に、前記カバー体の先端部には外向きの突片が備えられていること。
【手続補正書】
【提出日】平成27年2月24日(2015.2.24)
【手続補正１】
【補正対象書類名】明細書
【補正対象項目名】０００８
【補正方法】変更
【補正の内容】
【０００８】
前記課題を解決するために、本発明のネイルプリント装置は、
手又は足の指の爪の、前記手又は足の指の先端部分から突出した突出部の幅方向の中央を含む中央領域が載置される爪乗せ部と、
前記中央領域が前記爪乗せ部に載置されている前記爪に印刷を行う印刷ヘッドと、
を備えていることを特徴としている。
【手続補正２】
【補正対象書類名】明細書
【補正対象項目名】０００９
【補正方法】変更
【補正の内容】
【０００９】
また、本発明のネイルプリント装置の印刷方法は、
ネイルプリント装置の印刷方法であって、
前記ネイルプリント装置は、手又は足の指の爪の、前記爪の前記手の指又は足の指の先端部分から突出した突出部の幅方向の中央を含む中央領域が載置される爪乗せ部を有し、
前記爪乗せ部に、前記爪の前記中央領域を載置させて
前記中央領域が前記爪乗せ部に載置されている前記爪に印刷を行うことを特徴としている。
【手続補正３】
【補正対象書類名】明細書
【補正対象項目名】００２７
【補正方法】変更
【補正の内容】
【００２７】
例えば、図７（ａ）及び図７（ｂ）、図８（ａ）及び図８（ｂ）に示すような狭幅部の設けられていない爪乗せ部２７に爪Ｔを載置した場合には、爪Ｔの先端側の指部分から突出した突出部の幅方向の両端が爪乗せ部２７の上に載置される。このため、図７（ｂ）及び図８（ｂ）に示すように、曲率の大きな爪Ｔと曲率の小さな爪Ｔとでその高さが大きく異なってしまう。
これに対して、図５（ａ）及び図５（ｂ）、図６（ａ）及び図６（ｂ）に示すように、爪乗せ部２６において爪Ｔが載置される部分を爪Ｔの幅方向の寸法よりも幅の狭い狭幅部２６ａとした場合には、爪Ｔの先端側の指部分から突出した突出部の一部であって、突出部の幅方向の両端より内側で、幅方向の中央を含む中央領域だけが爪乗せ部２６の狭幅部２６ａの上に載置される。このため、図５（ｂ）及び図６（ｂ）に示すように、どのような曲率の爪Ｔが載置された場合でも、爪Ｔの高さがほぼ同じとなるように爪Ｔを保持することができる。
【手続補正４】
【補正対象書類名】特許請求の範囲
【補正対象項目名】全文
【補正方法】変更
【補正の内容】
【特許請求の範囲】
【請求項１】
手又は足の指の爪の、前記手又は足の指の先端部分から突出した突出部の幅方向の中央を含む中央領域が載置される爪乗せ部と、
前記中央領域が前記爪乗せ部に載置されている前記爪に印刷を行う印刷ヘッドと、
を備えていることを特徴とするネイルプリント装置。
【請求項２】
前記爪乗せ部は、前記爪の前記中央領域が載置されているとき、前記突出部の前記中央領域を含む領域に接する接触領域を有し、
前記接触領域の前記爪の幅方向の寸法は、前記爪の幅方向の寸法よりも小さいことを特徴とする請求項１に記載のネイルプリント装置。
【請求項３】
前記爪乗せ部が前記爪を載置させる際に、前記手の指又は足の指の上面に押し当てられて、前記指の上面の高さを規制する下面を有する指押さえ部をさらに備えていることを特徴とする請求項１又は請求項２に記載のネイルプリント装置。
【請求項４】
前記爪乗せ部の上面の高さは、前記指押さえ部の下面の高さを超えない高さとなっていることを特徴とする請求項３に記載のネイルプリント装置。
【請求項５】
前記指を上昇及び下降させる昇降機構をさらに備えていることを特徴とする請求項４に記載のネイルプリント装置。
【請求項６】
前記指を載置する指載置部を更に備え、
前記昇降機構は前記指載置部を昇降させることを特徴とする請求項５に記載のネイルプリント装置。
【請求項７】
前記昇降機構は、
前記印刷ヘッドによる前記印刷を行わないとき、前記指を、前記指の上面が前記指押さえ部の下面に接しない第１位置に下げ、
前記印刷ヘッドによる前記印刷を行うとき、前記指を、前記第１位置から、前記指の上面が前記指押さえ部の下面に接して前記指押さえ部の下面に押し当てられる第２位置に上昇させることを特徴とする請求項５又は請求項６に記載のネイルプリント装置。
【請求項８】
前記指の爪を撮影して爪画像を得る撮像装置と、
前記撮像装置によって取得された前記爪画像に基づいて前記爪の輪郭を検出する爪情報検出部と、
をさらに備えていることを特徴とする請求項１から請求項７のいずれか一項に記載のネイルプリント装置。
【請求項９】
ネイルプリント装置の印刷方法であって、
前記ネイルプリント装置は、手又は足の指の爪の、前記爪の前記手の指又は足の指の先端部分から突出した突出部の幅方向の中央を含む中央領域が載置される爪乗せ部を有し、
前記爪乗せ部に、前記爪の前記中央領域を載置させて
前記中央領域が前記爪乗せ部に載置されている前記爪に印刷を行うことを特徴とするネイルプリント装置の印刷方法。
【請求項１０】
前記ネイルプリント装置は、更に、下面が前記指の上面に接することが可能に配置された指押さえ部と、前記指を昇降させる昇降機構と、を有し、
前記印刷ヘッドによる前記印刷を行わないとき、前記昇降機構により、前記手の指又は足の指を、前記指の上面が前記指押さえ部の下面に接しない第１位置に下げ、
前記印刷ヘッドによる前記印刷を行うとき、前記昇降機構により、前記手の指又は足の指を、前記第１位置から、前記指の上面が前記指押さえ部の下面に接して前記指押さえ部の下面に押し当てられる第２位置に上昇させることを特徴とする請求項９に記載のネイルプリント装置の印刷方法。
【手続補正書】
【提出日】平成27年4月30日(2015.4.30)
【手続補正１】
【補正対象書類名】特許請求の範囲
【補正対象項目名】請求項３
【補正方法】変更
【補正の内容】
【請求項３】
前記発射操作手段の発射強度を最大強度まで調節して打ち出した全て又はほぼ全ての遊技球は、前記振分機構の前記入球口に入球可能である請求項１又は請求項２に記載の遊技機。
【手続補正２】
【補正対象書類名】明細書
【補正対象項目名】００１０
【補正方法】変更
【補正の内容】
【００１０】
上記遊技機について、前記発射操作手段の発射強度を最大強度まで調節して打ち出した全て又はほぼ全ての遊技球は、前記振分機構の前記入球口に入球可能であることが好ましい。
【手続補正書】
【提出日】平成27年2月26日(2015.2.26)
【手続補正１】
【補正対象書類名】特許請求の範囲
【補正対象項目名】請求項１
【補正方法】変更
【補正の内容】
【請求項１】
複数配列したろ板（１０・・・）間に形成されたろ過室（１２）内に３枚のろ布（１３）を配設すると共に、３枚のろ布（１３Ｌ、１３Ｃ、１３Ｒ）間に形成された２つのろ過室（１２ａ、１２ｂ）に原液供給路（１４ａ、１４ｂ）より原液を供給して固液分離を行い、ろ布（１３Ｌ、１３Ｃ、１３Ｒ）を上下に走行させることでケーキを排出するフィルタープレスのろ布吊設装置において、
上部を連結したろ布（１３Ｃ、１３Ｒ）を上部ロール（２８）に掛け回して垂設し、ろ布（１３Ｃ、１３Ｒ）両端には下部ろ布芯金（２１、２１）を設け、ろ布（１３Ｒ）をろ板下方に設けたリターンロール（２６ａ）に掛け回し、
ろ布（１３Ｃ）の下部ろ布芯金（２１）の両端に一対の駆動チェーン（２２）の一端を連結して、
前記駆動チェーン（２２）をろ板下方に配設した下部スプロケット（２７）及びろ板上部に配設した回動する上部スプロケット（２４）に掛け回して隣接するろ板（１０、１０）間に垂下し、
隣接するろ板（１０、１０）間に同様に設けたろ布（１３Ｒ）の下部ろ布芯金（２１）に前記駆動チェーン（２２）の他端を連結すると共に、
ろ布（１３Ｌ）の上端に上部ろ布芯金（２０）と下端に下部ろ布芯金（２１）を設け、
前記ろ布（１３Ｌ）の上部ろ布芯金（２０）を駆動チェーン（２２）に係止し、
前記ろ布（１３Ｌ）をろ板下方に設けたリターンロール（２６ｂ）に掛け回し、
前記ろ布（１３Ｌ）の下部ろ布芯金（２１）を隣接するろ板（１０、１０）間に掛け回している駆動チェーン（２２）端部に連結したことを特徴とするフィルタープレスのろ布吊設装置。
【手続補正２】
【補正対象書類名】明細書
【補正対象項目名】０００５
【補正方法】変更
【補正の内容】
【０００５】
複数配列したろ板間に形成されたろ過室内に３枚のろ布を配設すると共に、３枚のろ布間に形成された２つのろ過室に原液を供給して固液分離を行い、ろ布を上下に走行させることでケーキを排出するフィルタープレスのろ布吊設装置において、上部を連結したろ布を上部ロールに掛け回して垂設し、ろ布両端には下部ろ布芯金を設け、ろ布をろ板下方に設けたリターンロールに掛け回し、ろ布の下部ろ布芯金の両端に一対の駆動チェーンの一端を連結して、前記駆動チェーンをろ板下方に配設した下部スプロケット及びろ板上部に配設した回動する上部スプロケットに掛け回して隣接するろ板間に垂下し、隣接するろ板間に同様に設けたろ布の下部ろ布芯金に前記駆動チェーンの他端を連結すると共に、ろ布の上端に上部ろ布芯金と下端に下部ろ布芯金を設け、前記ろ布の上部ろ布芯金を駆動チェーンに係止し、前記ろ布をろ板下方に設けたリターンロールに掛け回し、前記ろ布の下部ろ布芯金を隣接するろ板間に掛け回している駆動チェーン端部に連結したことで、ろ板間に配設された３枚のろ布を上下に走行させることができ、ろ布に付着したケーキを速やかに剥離することができる。
【手続補正３】
【補正対象書類名】明細書
【補正対象項目名】００１８
【補正方法】変更
【補正の内容】
【００１８】
図７は本発明に係るろ布走行式フィルタープレスのろ布走行後のろ布吊設装置の側面図である。
上部スプロケット２４に掛け回した駆動チェーン２２により、各下部ろ布芯金２１が引き上げられるため、ろ布１３Ｌ、１３Ｒは下方へ走行し、ろ布１３Ｃは上方へ走行している。
ケーキ剥離後、上部スプロケット２４を逆転させ、ろ布１３を元の位置に戻して脱水工程を開始する。
上部ロール２８は上部ブラケット２３に取り付けられているが、周知の方法で開閉板するろ板１０の中間に位置するように構成すればよい。
【手続補正書】
【提出日】平成27年2月26日(2015.2.26)
【手続補正１】
【補正対象書類名】特許請求の範囲
【補正対象項目名】請求項１
【補正方法】変更
【補正の内容】
【請求項１】
複数並列したろ板（１０・・・）間にろ過室（１２）を形成し、各ろ過室（１２）に二組の一対のろ布（１３ａ、１３ｂ）を配設すると共に、一対のろ布（１３ａ、１３ｂ）間でそれぞれろ過室（１２ａ、１２ｂ）を形成するフィルタープレスのろ布吊設装置において、
ろ布（１３ａＬ、１３ａＲ、１３ｂＬ、１３ｂＲ）の下端縁に下部ろ布芯金（２１）を設け、
それぞれ一対のろ布（１３ａ、１３ｂ）を駆動チェーン（２２ａ、２２ｂ）の一端から吊設し、
一方の一対のろ布（１３ａ）の駆動チェーン（２２ａ）をろ板上部スプロケット（２４）に回動自在に掛け回して駆動チェーン（２２ａ）の他端を隣接するろ板（１０、１０）間に垂下すると共に、他方の一対のろ布（１３ｂ）の駆動チェーン（２２ｂ）をろ板間上部スプロケット（２８）に回動自在に掛け回し、
ろ布（１３ａＲ、１３ｂＬ）をろ板間下方に配設したろ板間リターンロール（２７ａ、２７ｂ）に掛け回し、
前記ろ布（１３ａＲ、１３ｂＬ）の下部ろ布芯金（２１）を駆動チェーン（２２ｂ）他端に連結し、
ろ布（１３ａＬ）と、隣接するろ板（１０、１０）間のろ布（１３ｂＲ）をろ板（１０）下方に配設したろ板リターンロール（２６ｂ、２６ａ）にそれぞれ掛け回し、
前記ろ布（１３ａＬ）と隣接するろ板（１０、１０）間のろ布（１３ｂＲ）の下部ろ布芯金（２１）を駆動チェーン（２２ａ）他端に連結したことを特徴とするフィルタープレスのろ布吊設装置。
【手続補正２】
【補正対象書類名】明細書
【補正対象項目名】０００５
【補正方法】変更
【補正の内容】
【０００５】
複数並列したろ板間にろ過室を形成し、各ろ過室に二組の一対のろ布を配設すると共に、一対のろ布間でそれぞれろ過室を形成するフィルタープレスのろ布吊設装置において、ろ布の下端縁に下部ろ布芯金を設け、それぞれ一対のろ布を駆動チェーンの一端から吊設し、一方の一対のろ布の駆動チェーンをろ板上部スプロケットに回動自在に掛け回して駆動チェーンの他端を隣接するろ板間に垂下すると共に、他方の一対のろ布の駆動チェーンをろ板間上部スプロケットに回動自在に掛け回し、ろ布をろ板間下方に配設したろ板間リターンロールに掛け回し、前記ろ布の下部ろ布芯金を駆動チェーン他端に連結し、ろ布と、隣接するろ板間のろ布をろ板下方に配設したろ板リターンロールにそれぞれ掛け回し、前記ろ布と隣接するろ板間のろ布の下部ろ布芯金を駆動チェーン他端に連結したことで、ろ板間に配設された４枚のろ布を上下に走行させることができ、ろ布に付着したケーキを速やかに剥離することができる。
【手続補正３】
【補正対象書類名】明細書
【補正対象項目名】００２１
【補正方法】変更
【補正の内容】
【００２１】
図１０は本発明に係るろ布走行式フィルタープレスのろ布走行後のろ布吊設装置の側面図である。
ろ板上部スプロケット２４、ろ板間上部スプロケット２８に掛け回した駆動チェーン２２により、各下部ろ布芯金２１が引き上げられるため、ろ布１３は下方へ走行した後、ろ板リターンロール２６もしくはろ板間リターンロール２７を介して、ろ布１３下部から順に上方へ走行している。ケーキ剥離後、ろ板上部スプロケット２４、ろ板間上部スプロケット２８を逆転させ、ろ布１３を元の位置に戻して脱水を開始する。
ろ板間上部スプロケット２８、ろ板間リターンロール２７は周知の方法で、開閉板するろ板１０の中間に位置するように構成している。